(57)【要約】      （修正有）【課題】太陽電池モジュールを複数配置する場合、その碁盤目状でも又は千鳥状でもいずれでも配置できるとともに、その取付が簡単な太陽電池モジュールを提供する。【解決手段】複数の太陽電池モジュール１を取り付ける太陽電池モジュール１の取付構造であって、上下に隣り合う太陽電池モジュールを結合するための取り付け穴が、太陽電池モジュールの上端部と下端部に形成されており、上端部及び下端部の取り付け穴は、それぞれ太陽電池モジュールの幅方向中心Ｃを基準として左右対称で、かつ、上下対応する位置に形成されていることとした。【選択図】図１
2008088685.tif 000002
【特許請求の範囲】
【請求項１】
隣り合う太陽電池モジュールの一端部をそれぞれ重ねて、太陽電池モジュール同士を連結することで、複数の太陽電池モジュールを取付面上に取り付ける取付構造であって、
上記太陽電池モジュールの上端と下端には、互いに重なる取付部が形成されており、
上記上端及び下端の取付部には、それぞれ上記太陽電池モジュールの幅方向中心を基準として左右対称で、かつ、上下対応する位置に取付穴がそれぞれ形成されている、
ことを特徴とする太陽電池モジュール。
【請求項２】
上記太陽電池モジュールは、取付面の傾斜方向に沿って施設された縦材に設けられた係合片に、当該太陽電池モジュール上部の係合部を引っ掛けると共に、上下に隣り合う太陽電池モジュールを上記取り付け穴で結合することにより取り付けられており、
上記太陽電池モジュールの下端部の取り付け穴は、上記取付面の傾斜方向に延びた縦長の穴である、
請求項1記載の太陽電池モジュール。
【請求項３】
上記下端部の取り付け穴は、下端面に開口している、
請求項２記載の太陽電池モジュール。
【請求項４】
上記太陽電池モジュールは、碁盤目状又は千鳥状に配置されている、
請求項１〜３のいずれかに記載の太陽電池モジュール。
【発明の詳細な説明】
【技術分野】
【０００１】
本発明は、太陽電池モジュールを屋根などの取付面に対して取り付けるための技術であって、特に、太陽電池モジュール碁盤目状に配列したり、又は千鳥状に配置したり自由に配置できる技術に関する。
【背景技術】
【０００２】
従来から、屋根などに太陽電池基板とフレームからなる太陽電池モジュールを取り付けるために様々な施工方法がある。
一例として、屋根状に太陽電池モジュールを固定するための縦材と横材とを碁盤目状に配置して、この上に太陽電池モジュールを取り付けていく施工方法がある。
また、このような縦材横材を使わずに屋根に直に取り付けるやり方も提案されている。この例としては、四角形の太陽電池モジュールの四辺にそれぞれ太陽電池モジュール枠を取り付けた太陽電池モジュールであって、前側枠部の前引掛片を前固定部に掛合させ、後固定部を左右方向の瓦桟に上載して固定金具で固定する。また、次の太陽電池モジュールを配置する場合、先に設置したモジュールユニットに対して、後から設置したモジュールユニットを跨るようにして、前列の２枚のモジュールユニットの各後ろ側枠部に、後列の1枚のモジュールユニットの前側枠部が載るようにずらして配置する。この場合、後列のモジュール枠の後側枠部の突出辺に後ろ固定具を掛合わせた状態で、その前側枠部の前引掛辺を前列のモジュール枠の後引掛辺に接合させ、後列側の前記後固定具を左右方向の瓦桟に上載して固定金具にて固定する構造がある（例えば、特許文献１）。
【０００３】
【特許文献１】特開平２００４−２６３５４４
【発明の開示】
【発明が解決しようとする課題】
【０００４】
しかし、上述の従来技術は、太陽電池モジュールを配置する場合、碁盤目状に配置することはできるが、屋根の構造によっては、碁盤目状に配置するだけでなく、太陽電池モジュールを千鳥状に配置する必要がある。このような場合、太陽電池モジュールの配置を変える必要があったが、従来の太陽電池モジュールでは、あらかじめ、どのように太陽電池モジュールを配置するかを決めたうえで、太陽電池モジュールを固定する位置を細かく測り配置していく必要があった。
そのため、部品点数が多くなるばかりか、施工の作業効率も悪くなってしまうという問題があった。
また、太陽電池モジュールを取り付ける際の位置あわせが面倒で、穴の位置がずれてしまうと容易に取り付けることができないという問題もあった。
【０００５】
本発明は、上述の課題を解決するためになされたものであって、太陽電池モジュールを複数配置する場合、その碁盤目状でも又は千鳥状でもいずれでも配置できる太陽電池モジュールを提供することを目的とする。
【課題を解決するための手段】
【０００６】
上記目的を達成するため、本発明の一の観点にかかる太陽電池モジュールは、隣り合う太陽電池モジュールの一端部をそれぞれ重ねて、太陽電池モジュール同士を連結することで、複数の太陽電池モジュールを取付面上に取り付ける取付構造であって、上記太陽電池モジュールの上端と下端には、互いに重なる取付部が形成されており、上記上端及び下端の取付部には、それぞれ上記太陽電池モジュールの幅方向中心を基準として左右対称で、かつ、上下対応する位置に取付穴がそれぞれ形成されていることを特徴とする。
【０００７】
また、上記太陽電池モジュールは、取付面の傾斜方向に沿って施設された縦材に設けられた係合片に、当該太陽電池モジュール上部の係合部を引っ掛けると共に、上下に隣り合う太陽電池モジュールを上記取り付け穴で結合することにより取り付けられており、上記太陽電池モジュールの下端部の取り付け穴は、上記取付面の傾斜方向に延びた縦長の穴である。
【０００８】
また、上記下端部の取り付け穴は、下端面に開口していてもよい。
また、上記太陽電池モジュールは、碁盤目状又は千鳥状に配置されていてもよい。
【発明の効果】
【０００９】
本発明によれば、太陽電池モジュールを碁盤目状に取り付ける場合、千鳥状に取り付ける場合のいずれでも、縦材状に配置していくだけでよく、取付作業を効率的に行うことができる。
また、取り付け穴が縦長の穴となっているため、太陽電池モジュールをとるつける際の縦方向のズレを調整することができる。特に、係合部を縦材の係合部に引っ掛け状態で、太陽電池モジュールの位置が上下に多少ずれた場合であっても、この取り付け穴が縦長となっているため、取り付け穴同士の位置決めがし易く、作業効率を高めることができる。
【発明を実施するための最良の形態】
【００１０】
以下、本発明を適用した太陽電池モジュールの例を、図面を参照して説明する。
図１に本実施形態にかかる太陽電池モジュール１を屋根上に複数配置した状態を示す。
太陽電池モジュール１は、屋根３０上に一面に配置されており、各太陽電池モジュール１は、その棟側の上端部が、軒側の下端部よりも持ち上がった形で取り付けられている。
【００１１】
太陽電池モジュール１を取り付ける屋根３０上には、図５に示すように固定金具３が取り付けられ、この屋根３０の傾斜方向に沿って複数の縦材２が平行に敷設される。
固定金具３は、図６（ａ）に示すように、ねじなどにより屋根上に所定の間隔を置いて取り付けられている。固定金具３は、金属板を折り曲げて形成されており、その一端が屋根の瓦上に立ち上がった折曲部となると共に、他端の長板部がビスにより屋根上に固定されている。また瓦上から立ち上がった折曲部上にはボルトを通すための穴が形成されており、この穴から差し込みボルトＢを挿通することにより、折曲部上に縦材２が取り付けられるようになっている。
【００１２】
図６（ｂ）に示すように、縦材２は、亜鉛めっき鋼板などにより形成されており、その下端部が開口した縦長中空の四角柱状に形成されている。縦材２の上端部には、係合片２１と長孔２２が形成されている。係合片２１は、縦材２上に、所定の間隔（太陽電池モジュール１の縦幅から接合部分１１ｇの幅を引いた長さの間隔）をおいて設けられている。これにより、係合片２１に太陽電池モジュール１が取り付けられた場合、上下に隣り合う太陽電池モジュール１の上側の太陽電池モジュール１の接合部１１ｇと下側の太陽電池モジュール１のモジュール取付部１１ｂとが重なるようになっている。この係合片２１は、縦材２の上端部を切り起こすことで上側に突出させて形成されている。したがって、係合片２１は、縦材２の上端面から立ち上がって上側（棟側）に開口し、縦材２上面との間にわずかな隙間ができるようになっている。
長孔２２は、係合片２１、２１間に設けられ、この長孔２２には、固定金具３からの差込ボルトが通され、ナットにより締められることで、縦材２が固定金具３上に固定される。
これらの縦材２は、複数連結させることで、屋根の大きさや形に合わせて配置され、平行に設けられた２本の縦材で太陽電池モジュール１を支えるようになっている。
縦材２の下端部上面には、スタートカバー４を取り付けるためのねじ穴２３が形成されている。スタートカバー４を取り付けることで、外観を良好にすると共に、太陽電池モジュール１の下に風が入り、その風圧で太陽電池モジュール１が外れないようにすることができる。
【００１３】
太陽電池モジュール１は、図２、図４に示すように、中空枠状のフレーム１１と、このフレーム１１の中空枠内に取り付けられた太陽電池基板１２を有している。
この太陽電池基板１２は、ＣＩＳ太陽電池基板と、この基板の背面を覆う耐候性フィルム等からなる背面材１３と、基板上には基板を保護するための強化処理ガラスが配置され、これらが接着剤により熱圧着されることにより形成されている。
なお、基板は、本実施形態では、ＣＩＳ太陽電池基板を用いているが、本発明はこれに限定されずにシリコン結晶系（単結晶シリコン、多結晶シリコン）又は非結晶系（アモルファスシリコン）又は、化合物系（ＣｄＴｅ、ＧａＡｓなど）の太陽電池基板や、有機系の太陽電池基板などでもよく、その種類は特に限定されない。
太陽電池基板１２の背面には、端子箱１５とこの端子箱に接続されたケーブル１４が取り付けられている。
【００１４】
フレーム１１は太陽電池基板１２を保持するためのものである。このフレーム１１の上端部と下端部には、それぞれフレーム１１を屋根上に取り付けるための取付部がフレームの幅方向全体に形成されている。
フレーム１１の上端側の取付部は、図３（ａ）に示すように、太陽電池基板１２を挟持する基板支持部１１ａと、この基板支持部１１ａから水平方向逆向きに伸びだした平板状のモジュール取付部１１ｂと、モジュール取付部１１ｂから取付面側に垂直に延びだして形成された板状の柱部１１ｃと、柱部１１ｃの下端部に柱部１１ｃとほぼ直交するように形成された板状の係合部１１ｄ及び基底部１１ｅが一体に形成されている。
基板支持部１１ａは、太陽電池基板１２を挟持する部分であり、図３（ａ）示のようにフレーム１１の中空部側に開口を有する形状となっており、この開口部分に太陽電池基板１２の上端部が嵌められ、接着剤等により接着されることでフレーム１１に固定されるようになっている。
モジュール取付部１１ｂは、図２（ａ）に示すように、穴１１０が４箇所設けられている。この穴１１０は、フレーム１１の幅方向の中心Ｃを基準にして等間隔で対称に設けられている。穴１１０ｂと穴１１０ｃは、幅方向中心Ｃから距離Ｌに対称に形成されており、穴１１０ａと穴１１０ｄは幅方向中心から２Ｌ離れた位置に対称に形成されている。この例では、太陽電池モジュール１を幅方向に６等分し、幅方向中心Ｃから横幅の１／６の距離（＝距離Ｌ）づつおいて穴１１０ａ〜１１０ｄが形成されている。そして、このモジュール取付部１１ｂ上には、当該太陽電池モジュール１と隣り合う上側の太陽電池モジュール１の下端の取付部が載置され、穴１１０でねじ等により一体に取り付けられるようになっている。
また、柱部１１ｃには、図２（ｃ）に示すように、穴１１Ｍが２つ形成されている。この穴１１Ｍは、それぞれ中心Ｃから距離Ｌおいた位置に設けられている。この穴１１Ｍは、この太陽電池基板１２により発電された電力を外部に送電するためのケーブル１４、１４を引き出すための穴である。
なお、この実施例では、穴Ｍの位置が、穴１１０ｂ、１１０ｃの位置に対応するようになっているが、必ずしも穴Ｍの位置は穴１１０の位置と対応させる必要はない。
係合部１１ｄは、柱部１１ｃからフレーム内側向かって延び出して形成されることで、太陽電池モジュール１を取り付けた状態で軒側に開口して形成されている。太陽電池モジュール１が縦材２に取り付けられる際、この係合部１１ｄは、縦材２の係合部２１に係合するようになっている。
基底部１１ｅは、柱部１１ｃからフレーム外側にそれぞれ向かって延びており、この基底部１１ｅを押さえ金具５０により押さえることで、太陽電池モジュール１の上端部を縦材２上に固定するようになっている。
【００１５】
また、太陽電池モジュール１の下側の取付部は、図３（ｂ）に示すように、基板１２を取り付ける基板支持部１１ｊと、この基板支持部１１ｊから垂直下方に延び出した板状の柱部１１ｆと、柱部１１ｆの下端部からフレーム１の外側に延び出し、隣接する太陽電池モジュール１と接合する接合部１１ｇが一体に形成されている。
基板支持部１１ｊは、太陽電池基板１２を挟持する部分であり、図示のようにフレーム１１の中空部側に開口を有する形状となっており、上述の基板支持部１１ａと同様に、開口部分に太陽電池基板１２の上端部が嵌められ、接着剤等により接着されることでフレーム１１に固定されるようになっている。
接合部１１ｇは、柱部１１ｆからフレーム１１の外側に延びだして形成されている。接合部１１ｇには、図２（ａ）に示すように、穴１２０が、上述の穴１１０と対応する位置に４箇所設けられている。すなわち、穴１２０も、穴１１０と同様に、太陽電池モジュール１の幅方向の中心Ｃを基準にして対称に設けられ、それぞれ幅方向中心Ｃから距離Ｌの距離に穴１２０ｂ，穴１２０ｃ，２Ｌ離れた位置に穴１２０ａ、穴１２０ｄが形成されている。これにより穴１２０は、上端部１１０の穴と対応する位置に設けられていることとなる。
穴１２０は、図２（ａ）に示すように太陽電池モジュール１を取り付ける屋根３０の傾斜方向に対して延びる縦長に形成されており、またその下端面には開口を有している。これにより、接合部１１ｇを隣り合う下側の太陽モジュール１のモジュール取付部１１ｂ上に載置して、穴１１０と穴１２０との位置を合わせてねじ止めすることで、隣り合う上下の太陽電池モジュール１を固定することができる。なお、この際、穴１２０が縦長の穴となっているため、太陽電池モジュール１１の縦方向のズレを調整することができる。特に、係合部１１ｄを係合部２１に係合させた状態で、太陽電池モジュール１の位置が上下に多少ずれた場合であっても、この穴１２０が縦長の穴となっているため、穴１１０と穴１２０との位置決めがし易く、作業効率を高めることができる。
【００１６】
次に、本発明にかかる太陽電池モジュール１の取り付け方法の一例について図を参照して説明する。
本例は、瓦屋根に対して太陽電池ジュール１を取り付ける場合の例である。
まず、図６（ａ）に示すようにまず、屋根上に固定金具３を取り付ける。
この場合、固定金具３を取り付ける位置を決め、その部分の瓦を一旦取り去って、固定金具３を屋根の野地板を介して垂木Ｔに取り付ける。この垂木Ｔの位置は木摺Ｋで確認する。また、ちょうど垂木Ｔがない部分では、垂木Ｔと垂木Ｔの間に渡した補強板Ｓの上に固定金具３を取り付け、瓦を元に戻して嵌め込む。
【００１７】
固定金具３の取り付が完了したところで、図６（ｂ）に示すように縦材２を固定金具３に取り付ける。
この取り付けは、固定金具３側から差し込みボルトを縦材２の長孔２２側に通して、座金とナットとにより縦材２上部から固定する。
縦材２を屋根の幅に合わせて一直線に配置するためには、縦材２を複数繋いで固定することで、屋根の広さに応じて一直線状に取り付けることができる。これにより、屋根上には、複数条の縦材２がそれぞれ平行に取り付けられた状態となる。
また、最も軒側の縦材２の下端部には、図７に示すようにスタートカバー４を縦材２上にねじ止めして取り付ける。
【００１８】
縦材２及びスタートカバー４の取り付けが完了すると、軒側から順に太陽電池モジュール１を取り付けていく。
この場合、図８に示すように、太陽電池モジュール１を縦材２上に仮置し、その状態で太陽電池モジュール１をわずかに上側にずらして、ことで、係合部１１ｄを縦材２の係合部２１に引っ掛ける。
そして、太陽電池モジュール１の基底部１１ｅを押さえ金具で押さえて、この押さえ金具をねじ止めすることで太陽電池モジュール１を取り付ける。
【００１９】
また、この際、穴１１Ｍからケーブル１４を引き出し、左右に隣り合う太陽電池モジュール１を直列に接続する。例えば、＋側のケーブル１４を左隣の太陽電池モジュール１に接続し、−側のケーブル１４を右隣の太陽電池モジュール１に接続していく。そして、最終端の太陽電池モジュール１のケーブル１４を、図示しない集電ケーブルを介して接続箱６０へ接続することで、屋根全体の太陽電池モジュールにより発電した電力を送電することができる。
【００２０】
この状態からさらに棟側に向かって太陽電池モジュール１を取り付ける場合には、図９（ａ）に示すように、まず取り付ける太陽電池モジュール１を縦材２上に仮置きする。そして、図９（ｂ）に示すように太陽電池モジュール１を少し上側にずらし、それを図９（ｃ）に示すように太陽電池モジュール１を下側に戻すことで係合部１１ｄを係合部２１に引っ掛ける。このとき、係合部２１は、太陽電池モジュール１の幅（モジュール取付部１１ｂ先端から接合部１１ｇまでの幅から接合部分１１ｇの幅を引いた長さの幅）の間隔で設けられている。そのため、先に取り付けた下側（軒側）の太陽電池モジュール１のモジュール取付部１１ｂ上に、これから取り付ける上側（棟側）の太陽電池モジュール１の接合部１１ｇが重なるようになる。
この状態で、図１０に示すように、既に取り付けられている下側の太陽電池モジュール１の穴１１０に対して、これから取り付ける上側の太陽電池モジュール１の穴１２０の位置を合わせて、位置決めしたうえでねじ止めして固定する。
【００２１】
なお、基底部１１ｅを押さえ金具５０により押さえて、この押さえ金具５０をねじ止めすることにより、太陽電池モジュール１を縦材２に固定することができる。
この位置決めを行う場合、係合部１１ｄを係合部２１に係合させた状態で、上側の太陽電池モジュール１を動かすことで穴１１ｈの位置あわせができるため、簡単かつ効率的に位置決めできる。
【００２２】
また、最初の太陽電池モジュール１を取り付けた場合と同様に、穴１１Ｍからケーブル１４を引き出し、例えば、左右に隣り合う太陽電池モジュール１を直列に接続する。そして、最終端の太陽電池モジュール１のケーブル１４は、複数の太陽電池モジュール１からの電力をまとめる集電ケーブルに接続され、この集電ケーブルから図示しない集電装置へ接続されることで、屋根全体の太陽電池モジュールにより発電した電力を集めて送電することができる。
そして、図１１に示すように、上述と同様の手順で、太陽電池モジュール１を軒側から棟側に向かって順に取り付けていき、屋根全体に太陽電池モジュール１を取り付け、取り付作業が完了する。
【００２３】
次に、太陽電池モジュール１を千鳥状に配置した例について図１２、図１３を参照して説明する。
図１２、図１３の例では、太陽電池モジュール１を一列ごとに、幅をずらして千鳥状に配置した例である。
この場合、穴１１０及び１２０は、太陽電池モジュール１の幅方向の中心からそれぞれＬ、２Ｌの距離を置いて対称に形成されていることから、穴１１０の位置と、穴１２０の位置が対応することとなる。
具体的には、太陽電池モジュール１上に太陽電池モジュール１を取り付ける場合には、下側の太陽電池モジュール１の穴１１０ａ、１１０ｂと、左上側の太陽電池モジュール１の穴１２０ｃ、１２０ｄが対応するため、これらを位置決めしてねじにより固定することができる。また同様に、下側の太陽電池モジュール１の穴１１０ｃ、１１０ｄと右上側の太陽電池モジュール１の穴１２０ａ，１２０ｂが対応するため、これらを位置決めしてねじにより固定することができる。
これにより、千鳥状に配置するための太陽電池モジュール１をわざわざ設けなくとも、そのまま使うことができる。
【００２４】
このように、接合部１１ｇを隣り合う下側の太陽モジュール１のモジュール取付部１１ｂ上に載置して、穴１１０と穴１２０との位置を合わせてねじ止めすることで、隣り合う上下の太陽電池モジュール１を碁盤目状でもまた千鳥状でもいずれにも取り付けることができる。
また、穴１２０が縦長の穴となっているため、太陽電池モジュール１１の縦方向のズレを調整することができる。特に、係合部１１ｄを係合部２１に係合させた状態で、太陽電池モジュール１の位置が上下に多少ずれた場合であっても、この穴１２０が縦長の穴となっているため、穴１１０と穴１２０との位置決めがし易く、作業効率を高めることができる。
【００２５】
なお、太陽電池モジュール１は、屋根でなくともどこにも取り付けることができる。
【図面の簡単な説明】
【００２６】
【図１】本発明にかかる太陽電池モジュールを屋根に取り付けた状態を示す全体図。
【図２】（ａ）本実施形態にかかる太陽電池モジュールの正面図。              （ｂ）本実施形態にかかる太陽電池モジュールの右側面図。              （ｃ）本実施形態にかかる太陽電池モジュールの上端平面図。
【図３】（ａ）本実施形態にかかる太陽電池モジュールのフレームの上端部の側面図。              （ｂ）本実施形態にかかる太陽電池モジュールのフレームの下端部の側面図。
【図４】本実施形態にかかる太陽電池モジュールの背面図。
【図５】本実施形態にかかる縦材の取り付け状態を表す平面図。
【図６】（ａ）本実施形態にかかる固定金具の取り付け状態を示した分解斜視図。              （ｂ）固定金具に縦材を取り付ける際の工程を示した斜視図。
【図７】本実施形態にかかる縦材にスタートカバーを取り付ける工程を示した斜視図。
【図８】本実施形態にかかる縦材及びスタートカバーに、太陽電池モジュールを取り付けるところを示した斜視図。
【図９】本実施形態にかかる太陽電池モジュールを取り付ける工程を示した側面図。
【図１０】本実施形態にかかる太陽電池モジュールを取り付け状態の分解斜視図。
【図１１】本実施形態にかかる太陽電池モジュールの取り付け状態を示した側面図。
【図１２】本実施形態にかかる太陽電池モジュールを千鳥状にして屋根に配置した例を示す斜視図。
【図１３】本実施形態にかかる太陽電池モジュールを千鳥状にしてした例を示す斜視図。
【符号の説明】
【００２７】
１        太陽電池モジュール
２        縦材
３        固定金具
４        スタートカバー
１１      フレーム
１１ａ    基板支持部
１１ｂ    モジュール取付部
１１ｃ    柱部
１１ｄ    係合部
１１ｅ    基底部
１１ｆ    柱部
１１ｇ    接合部
１１ｊ    基板支持部
１１Ｈ    穴
１１ｈ    穴
１１Ｍ    穴
１２      太陽電池基板
１３      背面材
１４      ケーブル
１５      端子箱
２１      係合片
２２      長孔
２３      ねじ穴
３０      屋根
５０      押さえ金具
６０      接続箱
１１０    穴
１１０ａ  穴
１１０ｂ  穴
１１０ｃ  穴
１１０ｄ  穴
１２０    穴
１２０ａ  穴
１２０ｂ  穴
１２０ｃ  穴
１２０ｄ  穴
Ｂ        ボルト
Ｋ        木摺
Ｍ        穴
Ｓ        補強板
Ｔ        垂木
【図１】
2008088685.tif 000003
【図２】
2008088685.tif 000004
【図３】
2008088685.tif 000005
【図４】
2008088685.tif 000006
【図５】
2008088685.tif 000007
【図６】
2008088685.tif 000008
【図７】
2008088685.tif 000009
【図８】
2008088685.tif 000010
【図９】
2008088685.tif 000011
【図１０】
2008088685.tif 000012
【図１１】
2008088685.tif 000013
【図１２】
2008088685.tif 000014
【図１３】
2008088685.tif 000015
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
中空枠状のフレームと、当該フレームの中空枠内に取り付けられた太陽電池基板とから構成された太陽電池モジュールを、上下に隣り合う太陽電池モジュールのフレームの一端部をそれぞれ重ねて、上記太陽電池モジュール同士を連結することで、複数の太陽電池モジュールを取付面上に取り付ける取付構造であって、
上記フレームの上端に設けられ、上記フレームから棟側に延び出した平板状のモジュール取付部と、上記フレーム下端に設けられ、上記フレームから軒側に延び出した平板状の接合部が形成されており、
上記モジュール取付部と、上記接合部には、上記太陽電池モジュールの横幅をｎ等分した距離をＬとして、上記太陽電池モジュールの幅方向中心を基準に、左右それぞれにおいて距離Ｌごとに、取付穴が、左右対称に、かつ、上記太陽電池モジュール取付部と接合部のそれぞれに対応するように複数、形成されており、
上記モジュール取付部は、当該太陽電池モジュールと隣り合う上側の太陽電池モジュールの接合部が上になるように重ねて取り付けられ、
上記接合部は、当該太陽電池モジュールと隣り合う下側の太陽電池モジュールのモジュール取付部が下になるように重ねて取り付けられ、
上記隣り合う太陽電池モジュールを重ね合わせたとき、上記隣り合うモジュール取付部と上記接合部に形成された上記取付穴が重なるように構成されている、
ことを特徴とする太陽電池モジュール。
【請求項２】
上記太陽電池モジュールは、取付面の傾斜方向に沿って施設された縦材に設けられた係合片に、当該太陽電池モジュール上部の係合部を引っ掛けると共に、上下に隣り合う太陽電池モジュールを上記取り付け穴で結合することにより取り付けられており、
上記太陽電池モジュールの下端部の取り付け穴は、上記取付面の傾斜方向に延びた縦長の穴である、
請求項1記載の太陽電池モジュール。
【請求項３】
上記下端部の取り付け穴は、下端面に開口している、
請求項２記載の太陽電池モジュール。
【請求項４】
上記太陽電池モジュールは、上記上下に隣り合う太陽電池モジュールを左又は右側にずらして取り付けることで、碁盤目状又は千鳥状に配置される、
請求項１〜３のいずれかに記載の太陽電池モジュール。
【手続補正２】
【補正対象書類名】明細書
【補正対象項目名】０００６
【補正方法】変更
【補正の内容】
【０００６】
上記目的を達成するため、本発明の一の観点にかかる太陽電池モジュールは、中空枠状のフレームと、当該フレームの中空枠内に取り付けられた太陽電池基板とから構成された太陽電池モジュールを、上下に隣り合う太陽電池モジュールのフレームの一端部をそれぞれ重ねて、上記太陽電池モジュール同士を連結することで、複数の太陽電池モジュールを取付面上に取り付ける取付構造であって、上記フレームの上端に設けられ、上記フレームから棟側に延び出した平板状のモジュール取付部と、上記フレーム下端に設けられ、上記フレームから軒側に延び出した平板状の接合部が形成されており、上記モジュール取付部と、上記接合部には、上記太陽電池モジュールの横幅をｎ等分した距離をＬとして、上記太陽電池モジュールの幅方向中心を基準に、左右それぞれにおいて距離Ｌごとに、取付穴が、左右対称に、かつ、上記太陽電池モジュール取付部と接合部のそれぞれに対応するように複数、形成されており、上記モジュール取付部は、当該太陽電池モジュールと隣り合う上側の太陽電池モジュールの接合部が上になるように重ねて取り付けられ、上記接合部は、当該太陽電池モジュールと隣り合う下側の太陽電池モジュールのモジュール取付部が下になるように重ねて取り付けられ、上記隣り合う太陽電池モジュールを重ね合わせたとき、上記隣り合うモジュール取付部と上記接合部に形成された上記取付穴が重なるように構成されていることを特徴とする。
【手続補正３】
【補正対象書類名】明細書
【補正対象項目名】０００８
【補正方法】変更
【補正の内容】
【０００８】
また、上記か端部の取り付け穴は、下端面に開口していてもよい。
また、上記太陽電池モジュールは、上記上下に隣り合う太陽電池モジュールを左又は右側にずらして取り付けることで、碁盤目状又は千鳥状に配置されていてもよい。